(57)【特許請求の範囲】
【請求項１】
複数のビレットを１列で送ってくるシュートと、２個のビレットを並列に並べて保持する受台を有するチャージ装置との間に設けられる切分け装置であって、
該切分け装置は、前記シュートから順次に送られてきた２個のビレットを並列に並べ替えて、前記受台へ送り込む並べ替え機構を備えており、
前記並べ替え機構が、前記受台と前記シュートの出側との間に設けられた下段固定プレートと、中段スライドプレートと、上段スライドプレートとからなり、
前記チャージ装置の前記受台が、前記シュートの出口と同心の中心位置から前後方向に離れた２ヵ所の受入れ部を備えており、
前記切分け装置における前記下段固定プレートは、前記受台の２カ所の受入れ部に対応する位置に、第１案内孔と第２案内孔とが設けられており、
前記中段スライドプレートは、前記下段固定プレートの第１案内孔および第２案内孔に対応する位置に、第１受入れ孔と第２受入れ孔とが形成されており、かつスライド可能であって前記第１受入れ孔が前記中心位置から前記第１案内孔に対向する位置までの間で移動可能であり、
前記上段スライドプレートは、前記シュートからビレットを受入れる１個の分配孔を有しており、該分配孔が前記中心位置から前記第２受入れ孔に対向する位置との間でスライド可能である
ことを特徴とするビレットの切分け装置。
【請求項２】
前記下段固定プレートは、前記受台へ２本のビレットを並べた状態での投入を案内するガイド機能を有しており、
前記中段スライドプレートは、前記下段スライドプレートに対し１本づつビレットを動かして並列に置いていく配置機能を有しており、
前記上段スライドプレートは、シュートから受入れた１本づつのビレットを前記中段スライドプレートに対し、並列に分けて置く分配機能を有している
ことを特徴とする請求項１記載のビレットの切分け装置。
【発明の詳細な説明】
【技術分野】
【０００１】
本発明は、ビレットの切分け装置に関する。さらに詳しくは、自動プレス設備において、シュートから、一列に並んで送られてきたビレットを２個づつ並列に並べてチャージ装置に供給するための切分け装置に関する。
【背景技術】
【０００２】
今日、多工程金型のプレスが稼働率向上のため登場している。この多工程金型は複数工程（例えば、４工程程度）を同時に加工するので、加工効率が高い。
しかし、この金型に送り込むビレットは各工程につき１個づつであるので、稼働率の向上にも限度がある（非特許文献１）。
【０００３】
そこで、各工程金型を複列にした複列式のプレスが開発されようとしている。このような複列式金型には、ビレットを複列で供給しなければならないが、加熱炉からのシュートでは、ビレットは１列で直列に並んで送られてくる。このため、プレスに供給する前に、１列のビレットを複列に並べ替えなければならない。しかし、このような装置は全く存在していない。
【０００４】
【非特許文献１】塑性加工技術シリーズ４鍛造  199頁  株式会社コロナ社  1995年8月30日初版発行
【発明の開示】
【発明が解決しようとする課題】
【０００５】
本発明は上記事情に鑑み、１列で直列に並んで送られてくるビレットを２列に並べ替えるビレットの切分け装置を提供することを目的とする。
【課題を解決するための手段】
【０００６】
第１発明のビレットの切分け装置は、複数のビレットを１列で送ってくるシュートと、２個のビレットを並列に並べて保持する受台を有するチャージ装置との間に設けられる切分け装置であって、該切分け装置は、前記シュートから順次に送られてきた２個のビレットを並列に並べ替えて、前記受台へ送り込む並べ替え機構を備えており、前記並べ替え機構が、前記受台と前記シュートの出側との間に設けられた下段固定プレートと、中段スライドプレートと、上段スライドプレートとからなり、前記チャージ装置の前記受台が、前記シュートの出口と同心の中心位置から前後方向に離れた２ヵ所の受入れ部を備えており、前記切分け装置における前記下段固定プレートは、前記受台の２カ所の受入れ部に対応する位置に、第１案内孔と第２案内孔とが設けられており、前記中段スライドプレートは、前記下段固定プレートの第１案内孔および第２案内孔に対応する位置に、第１受入れ孔と第２受入れ孔とが形成されており、かつスライド可能であって前記第１受入れ孔が前記中心位置から前記第１案内孔に対向する位置までの間で移動可能であり、前記上段スライドプレートは、前記シュートからビレットを受入れる１個の分配孔を有しており、該分配孔が前記中心位置から前記第２受入れ孔に対向する位置との間でスライド可能であることを特徴とする。
第２発明のビレットの切分け装置は、第１発明において、前記下段固定プレートは、前記受台へ２本のビレットを並べた状態での投入を案内するガイド機能を有しており、前記中段スライドプレートは、前記下段スライドプレートに対し１本づつビレットを動かして並列に置いていく配置機能を有しており、前記上段スライドプレートは、シュートから受入れた１本づつのビレットを前記中段スライドプレートに対し、並列に分けて置く分配機能を有していることを特徴とする。
【発明の効果】
【０００７】
第１発明によれば、つぎの効果を奏する。
ａ）並べ替え機構が、１列に順次に送られてきた２個のビレットを並列に並べ替えるので、チャージ装置の受台にビレットを２個づつ供給することができる。
ｂ）シュートから順次に送り込まれたビレットはまず上段スライドプレートの分配孔に入り、この上段スライドプレートのスライドと中段スライドプレートのスライドを組合わせることで、中段スライドプレートの第１受入れ孔と第２受入れ孔へ２本のビレットを配置できる。また、中段スライドプレートはスライドすることによって、第１受入れ孔と第２受入れ孔を下段固定プレートの第１案内孔と第２案内孔に対向させることができ、この状態で、２本のビレットは並列に並べられる。そして、この状態でチャージ装置の受台に２本のビレットが並んだ状態で、投入することができる。
第２発明によれば、シュートから送られてきたビレットは、まず上段スライドプレートに受入れ、この上段スライドプレートは、分配機能により中段スライドプレートにビレットを２本づつ分配する。この中段スライドプレートは、配置機能により２本のビレットを並列に配置した状態で、下段固定プレートに受渡す。この下段固定プレートは、ガイド機能により受台にビレットを案内して投入するので、受台には２本のビレットを並べて配置することができる。
【発明を実施するための最良の形態】
【０００８】
つぎに、本発明の実施形態を図面に基づき説明する。
まず、本発明の切分け装置が適用される鍛造プレスを説明しておく。
図４は複列式金型、すなわち各工程に２連金型を備えた鍛造プレスＰの要部平面図である。Ｃは４本のプレスコラムであり、この４本のプレスコラムで囲まれた中心には、パスラインＬに沿って、４工程分の金型が置かれている。なお、符号０は０工程、Ｉは１工程、IIは２工程、IIIは３工程、IVは４工程を示している。
前記Ｉ〜IVの各工程には、金型が２個づつ置かれている。すなわち、２連金型であり、この２連金型を用いると、１個ずつ金型を置いたものに比べ、生産能率が倍増するという利点がある。
【０００９】
図３は鍛造プレス設備における切分け装置Ａまわりの説明図である。
同図において、Ｐは前記した２連金型を有する鍛造プレスであり、その入側には、ビレットｂのチャ―ジ装置Ｃｇ、切分け装置Ａ、シュートＳなどの入側設備が置かれている。
加熱炉（図示せず）から送り出された加熱済みの複数本のビレットｂは、シュートＳでは１列に連なって送られてきて、本発明の切分け装置Ａでビレットｂを２本づつチャージ装置Ｃｇの受台Ｂに並列に並べられる。そして、その並べられた状態でチャージ装置Ｃｇによって鍛造プレスＰの０工程に搬入される。
【００１０】
つぎに、本発明の切分け装置Ａの実施形態を説明する。
図１は本発明の一実施形態に係るビレット切分け装置Ａの構成説明図である。図２は同ビレット切分け装置Ａの作用説明図である。
図１に示すように、本実施形態の切分け装置Ａは、複数のビレットｂ…を１列で送ってくるシュートＳと、２個のビレットｂを並列に並べて保持する受台Ｂを有するチャージ装置Ｃｇとの間に設けられる。そして、この切分け装置Ａは、シュートＳから順次に送られてきた２個のビレットｂ…を並列に並べ替えて、受台Ｂへ送り込む並べ替え機構を備えている。この受台Ｂは、シュート１の出口と同心の中心位置０から前後方向に離れた２ヵ所の受入れ部Ｂ１，Ｂ２を位置させることができる。
【００１１】
上記の並べ替え機構は、前記受台Ｂの直上位置に設けられた下段固定プレート３と、中段スライドプレート２と、上段スライドプレート１とからなる。
前記下段固定プレート３は、前記受台Ｂへ２本のビレットｂを並べた状態での投入を案内するガイド機能を有している。
前記中段スライドプレート２は、スライドシリンダ２ｓによってスライド可能であり、前記下段固定プレート３に対し１本づつビレットｂを動かして並列に置いていく配置機能を有している。
前記上段スライドプレート１は、スライドシリンダ１ｓによってスライド可能であり、前記シュートＳから受入れた１本づつのビレットｂを中段スライドプレート２に対し、２本のビレットｂ１，ｂ２を並列に分けて置く分配機能を有している。
【００１２】
前記各プレート１，２，３の各機能を果たすための構成を、つぎに説明する。
前記下段固定プレート３は、受取り位置にある受台Ｂの２カ所の受入れ部Ｂ１、Ｂ２に対向する位置に、第１案内孔３１と第２案内孔３２とが形成されている。
前記中段スライドプレート２は、前記下段固定プレートの第１案内孔３１および第２案内孔３２に対向する位置に、第１受入れ孔２１と第２受入れ孔２２とが形成されている。そして、スライドシリンダ２ｓでスライドさせることによって第１受入れ孔２１が中心位置０から前記第１案内孔３１に対向する位置とまでの間で移動可能である。
前記上段スライドプレート１は、スライドＳの出口からビレットｂを受入れる１個の分配孔１１を有している。そして、スライドシリンダ１ｓでスライドさせることによって、この分配孔１１が中間位置０から前記第２受入れ孔２２に対向する位置との間で移動可能である。
【００１３】
つぎに、上記切分け装置Ａによるビレットの並べ替え作用を説明する。
（初期状態）
図１に示すように、初期状態として上段スライドプレート１の分配孔１１と中段スライドプレートの第１受入れ孔２１とがシュートＳの出口の直下位置、すなわち中心位置０に合わせられている。このとき、下段固定プレート３には孔のあいていない中間部分がシュートＳの直下に位置する。この状態で、シュートＳから順に送られてきた２本のビレットｂ１，ｂ２は分配孔１１と、中段スライドプレート２の第１受入れ孔２１へ入る。すなわち、最初のビレットｂ１は下段固定プレート３に当って止められ、第１受け入れ孔２１で保持され、２番目のビレットｂ２は最初のビレットｂ１の上に乗り、分配孔１１で保持される。
【００１４】
（分配操作）
ついで、図２に示すように、上段スライドプレート１を前進させ中段スライドプレート２を後退させる。すなわち、上段スライドプレート１を、その分配孔１１が中心位置０から第２受入れ孔２２に一致する位置へ前進させ、かつ中段スライドプレート２を、その第１受入れ孔２１が中心位置０から第１案内孔３１に一致する位置へ後退させる。このようにすると、中段スライドプレート２の第２受入れ孔２２へ２番目のビレットｂ２を分配できる。そして、ビレットｂ１の入った第１受入れ孔２１とビレットｂ２の入った第２受入れ孔２２を下段固定プレート３の第１案内孔３１と第２案内孔３２に一致させることができる。
【００１５】
（供給操作）
上記の状態になると、２本のビレットｂ１，ｂ２は並んだ状態で、第１案内孔３１と第２案内孔３２を通過してチャージ装置Ｃｇの２ヵ所の受台Ｂ１，Ｂ２に投入される。
また、この状態で上段スライドプレート１の上面には３番目のビレットｂ３が乗っている。
【００１６】
以上のようにしてシュートＳから送られてきたビレットは、受台Ｂにおいて２本のビレットｂ１，ｂ２が並べて配置される。このあとは、チャージ装置Ｃｇの受台ＢをプレスＰ側に移動させると鍛造プレスＰにビレットを２個づつ供給することができるのである。
【図面の簡単な説明】
【００１７】
【図１】本発明の一実施形態に係るビレット切分け装置の構成説明図である。
【図２】同ビレット切分け装置の作用説明図である。
【図３】鍛造プレス設備における切分け装置まわりの説明図である。
【図４】複列式金型を有する鍛造プレスの要部平面図である。
【符号の説明】
【００１８】
１    上段スライドプレート
２    中段スライドプレート
３    下段固定プレート
１１  分配孔
２１  第１受入れ孔
２２  第２受入れ孔
３１  第１案内孔
３２  第２案内孔
Ｓ    シュート
Ｂ    受台
Ｃｇ  チャージ装置
【図１】
0004843373.tif 000002
【図２】
0004843373.tif 000003
【図３】
0004843373.tif 000004
【図４】
0004843373.tif 000005